(57)【要約】【課題】ロープの巻き取り時に、ロープとシーブとの間に作業者の手や指等が巻き込まれることを防止する吊り上げ装置を提供する。【解決手段】先端にシーブ２３を有するサブブーム２５と、ロープＲの繰り出し・巻き取りを行うウインチ装置２７とを備え、ウインチ装置２７から繰り出されシーブ２３を介して垂下されたロープＲの先端にフック２９が取り付けられている吊り上げ装置２０において、両端が開口した筒体の形状を有し、ロープＲが前記筒体を貫通してロープＲに沿って摺動可能に取り付けられるとともに、絶縁材料製であり、作業者が手で把持してロープＲの位置を調整するための巻き込み防止カバー３１と、シーブ２３からフック２９までの任意の位置に、前記巻き込み防止カバー３１を位置決めする保持ワイヤ３３とを備えて構成されている。【選択図】  図１
2004352449.tif 000002
【特許請求の範囲】
【請求項１】
先端にシーブを有するサブブームと、ロープの繰り出し・巻き取りを行うウインチとを備え、
前記ウインチから繰り出され前記シーブを介して垂下された前記ロープの先端にフックが取り付けられている吊り上げ装置において、
両端が開口した筒体の形状を有し、前記ロープが前記筒体を貫通して前記ロープに沿って摺動可能に取り付けられるとともに、絶縁材料製であり、作業者が手で把持して前記ロープの位置を調整するための巻き込み防止カバーと、
前記シーブから前記フックまでの任意の位置に、前記巻き込み防止カバーを位置決めする位置決め手段とを備えることを特徴とする吊り上げ装置。
【請求項２】
前記巻き込み防止カバーは、前記シーブ側の一端がラッパ状に拡径されていることを特徴とする請求項１に記載の吊り上げ装置。
【請求項３】
前記巻き込み防止カバーは、前記ロープ上に着脱自在に取り付けられていることを特徴とする請求項１又は２に記載の吊り上げ装置。
【請求項４】
前記位置決め手段は、一端が前記サブブームに取り付けられ、他端が前記巻き込み防止カバーに取り付けられたワイヤであることを特徴とする請求項１〜３のいずれかに記載の吊り上げ装置。
【発明の詳細な説明】
【０００１】
【発明の属する技術分野】
本発明は、ウインチから繰り出されシーブを介して垂下されたロープの先端にはフックが取り付けられている吊り上げ装置に関する。
【０００２】
【従来の技術】
上記のような吊り上げ装置として、例えば、トラック等の車体に搭載されたブームを搭載してなる高所作業車に取り付けられたものが知られている（例えば、特許文献１を参照）。
【０００３】
この高所作業車は、車体上に旋回・起伏・伸縮動自在に取り付けられたブームと、ブームの先端には常時垂直に保持される垂直ポストと、垂直ポストの先端には首振り動自在に取り付けられた作業者搭乗用の作業台とを有して構成されている。
【０００４】
また、吊り上げ装置は、上記垂直ポストの先端に取り付けられ、先端にシーブを有して延びるサブブームと、サブブームの後端に取り付けられたウインチ装置とから構成されている。なお、シーブには、ウインチ装置から繰り出されたロープが掛け回され、その先端にはフックが設けられている。
【０００５】
上記のような構成の高所作業車によれば、ブームの旋回・起伏・伸縮動及び作業台の首振り動等を行い、作業台を所望高所へ移動し、作業台に搭乗した作業者により高所作業を行わせることができる。この高所作業において、上記のような構成の吊り上げ装置を使用するときは、吊り上げ装置からロープを繰り出し、フックを地上側の懸吊物に掛け、ウインチ装置を作動させてロープを巻き取ることにより、この懸吊物を所望の高所まで吊り上げることができる。
【０００６】
【特許文献１】
特開２００２−３２１８９４号公報
【０００７】
【発明が解決しようとする課題】
ところで、吊り上げ装置において、フックの巻き下げ或いはブームの倒伏や縮小等のフックを下方に移動させる操作により、フックが接地した場合に、そのままその操作を継続すると、ロープはフックに働く重力によって与えられていた張力がなくなるため弛んでしまい、ウインチ装置に巻き取られているロープの乱巻きを引き起こすおそれがある。ウインチ装置にロープの乱巻きが生じたまま作業を続けると、ロープに損傷を生じてその寿命が短くなるおそれがある。
【０００８】
乱巻きを修正するには、ウインチ装置の乱巻きになった部分のロープを完全に繰り出した後、作業者がロープを持って引っ張る等の手段により、ロープに張力を加えながら巻き取り操作を行い、再度ウインチ装置にロープを正しく巻き取り直す必要がある。
【０００９】
しかしながら、このように乱巻きを生じたロープを修正する際に、巻き取られているロープを把持している作業者の手や指等が、ロープとシーブとの間に巻き込まれるおそれがあった。
【００１０】
本発明は、このような問題に鑑みてなされたものであり、ロープの巻き取り時に、ロープとシーブとの間に作業者の手や指等が巻き込まれることを防止する吊り上げ装置を提供することを目的とする。
【００１１】
【課題を解決するための手段】
上記の目的を達成するため、本発明は、先端にシーブ（滑車）を有するサブブームと、ロープの繰り出し・巻き取りを行うウインチとを備え、ウインチから繰り出されシーブを介して垂下されたロープの先端にフックが取り付けられている吊り上げ装置において、両端が開口した筒体の形状を有し、ロープが前記筒体を貫通してロープに沿って摺動可能に取り付けられるとともに、絶縁材料製であり、作業者が手で把持してロープの位置を調整するための巻き込み防止カバーと、シーブからフックまでの任意の位置に、前記巻き込み防止カバーを位置決めする位置決め手段とを備えて構成されている。
【００１２】
このような構成により、ロープの巻き取り時に、ロープとシーブとの間に作業者の手や指等が巻き込まれることを防止することができ、作業の安全性をより向上させることができる。また、巻き込み防止カバーは、絶縁材料製であるため、電線工事等における活線工事中に誤ってロープあるいは巻き込み防止カバーを電線に接触させてしまっても、感電のおそれがなく、作業の安全が図られる。なお、上記ロープには、ワイヤ類も含まれる。
【００１３】
また、巻き込み防止カバーは、シーブ側の一端がラッパ状に拡径されていることが好ましい。
【００１４】
このような構成により、ロープの巻き取り時において、作業者が該巻き込み防止カバーを介してロープを把持することにより、作業者の持ち手の位置はシーブの近傍にならない。その結果、ロープの巻き取り時に、作業者の手や指がシーブに接触することがなく、作業の安全性の向上を高めることができる。
【００１５】
また、巻き込み防止カバーは、ロープ上に着脱自在に取り付けられていることが好ましい。このような構成により、吊り上げ装置の格納作業が容易になり、利便性を向上させることができる。
【００１６】
また、位置決め手段は、一端がサブブームに取り付けられ、他端が巻き込み防止カバーに取り付けられたワイヤ（例えば、本実施例における保持ワイヤ３３）であることが好ましい。このような簡単な構成により、巻き込み防止カバーの位置調整を容易に行うことができる。さらに、吊り上げ装置を格納する際に、大きな格納スペースも必要としない。なお、上記ワイヤには、ロープ類も含まれる。
【００１７】
【発明の実施の形態】
以下、図面を参照して本発明の好ましい実施形態について説明する。図１に、本発明の吊り上げ装置２０を搭載した高所作業車１を示している。高所作業車１は、トラック車両をベースに構成され、車体３の前後の左右両側部には車体３を持ち上げ支持するアウトリガジャッキ５が設けられている。車体３の後部には、旋回モータ（図示せず）により旋回台７が水平旋回自在に設けられている。この旋回台７にはブーム９が取り付けられており、このブーム９は起伏シリンダ１１により起伏動するように構成されている。ブーム９は、基端ブーム、中間ブーム、先端ブームを入れ子式に組み合わせ、内蔵された伸縮シリンダ（図示せず）により伸縮動自在に構成されている。ブーム９の先端（先端ブーム）には、ブーム９の起伏角度に拘らずレベリング機構（図示せず）により常時垂直に保持される垂直ポスト１３が設けられており、この垂直ポスト１３には作業者搭乗用の作業台１５が首振り（水平旋回）自在に軸支されている。そして、垂直ポスト１３の上部には、本発明の吊り上げ装置２０が取り付けられている。
【００１８】
吊り上げ装置２０は、垂直ポスト１３に旋回及び起伏自在に取り付けられた支持ブラケット２１と、この支持ブラケット２１にスライド移動及び着脱自在に取り付けられ、先端にシーブ２３を有するサブブーム２５と、支持ブラケット２１に設けられロープＲの巻き取り及び繰り出しが自在なウインチ装置２７とから構成されている。
【００１９】
なお、ロープＲの一端はウインチ装置２７に固定された上で巻き取られ、他端はサブブーム２５に回転自在に取り付けられたシーブ２３に掛け渡されて垂下され、その先端に懸吊用のフック２９が取り付けられている。
【００２０】
また、ロープＲには、図２にも示すように、両端が開口した筒体の形状を有し、ロープＲがこの筒体を貫通し、ロープＲに沿って摺動可能に取り付けられるとともに、絶縁材料製であり、作業者が手で把持してロープＲの位置を調整するための巻き込み防止カバー３１が取り付けられている。より詳しくは、この巻き込み防止カバー３１は、一端がサブブーム２５に取り付けられ、他端が該巻き込み防止カバー３１に取り付けられた保持ワイヤ３３により、シーブ２３から垂下するロープＲ上におけるシーブ２３からフック２９までの任意の位置に保持（位置決め）されている。
【００２１】
巻き込み防止カバー３１は、シーブ２３側の一端がラッパ状に拡径され、作業者の持ち手の位置がシーブ２３近傍にならないようになっている。その結果、図３に示すように、ロープＲの巻き取り時に、巻き込み防止カバー３１のラッパ状に拡径された部分３１ａがシーブ２３に接触しても、巻き込み防止カバー３１を把持する作業者の手や指がロープＲやシーブ２３に接触することがなく、ロープＲとシーブ２３との間に作業者の手や指等が巻き込まれることを防止することができる。
【００２２】
また、巻き込み防止カバー３１は、例えば、図４（ａ）及び（ｂ）に示すように、ヒンジ４０を介して第１部材４１及び第２部材４２が拡開自在に連結された構造等を有することにより、ロープＲ上に着脱自在に取り付けられていることが好ましい。
【００２３】
このような構成である本発明の吊り上げ装置２０を備えた高所作業車１によれば、作業現場に移動させ、アウトリガジャッキ５を張り出して車体３を持ち上げ支持する。そして、旋回台７の旋回、ブーム９の起伏・伸縮動、作業台１５の首振り動等を行って作業台１５を所望高所へ移動させ、作業台１５に搭乗した作業者により高所作業を行わせることができる。この高所作業において、本吊り上げ装置２０を使用するときは、ウインチ装置２７からロープＲを繰り出して先端にあるフック２９を地上側の懸吊物に掛け、ウインチ装置２７を作動させてロープＲを巻き取ることにより、懸吊物を所望の高所まで吊り上げることができる。
【００２４】
例えば、上記のように懸吊物を所望の高所まで吊り上げる際（すなわちロープＲの巻き取り時）に懸吊物の揺れが生じた場合、作業者は本発明の吊り上げ装置２０の巻き込み防止カバー３１を介してロープＲを把持して、懸吊物の揺れを止めることができる。
【００２５】
また、上記のような作業時に、ウインチ装置２７に巻き取られているロープＲの乱巻きが生じた場合、作業者はウインチ装置２７の乱巻きになった部分のロープＲを完全に繰り出した後、本発明の吊り上げ装置２０の巻き込み防止カバー３１を介してロープＲを把持して、ロープＲに張力を加えながら巻き取り操作を行って、再度ウインチ装置２７にロープＲを正しく巻き取らせ、乱巻きを生じたロープＲの修正を行うことができる。
【００２６】
このように、ロープＲの巻き取り時に作業者がロープＲを把持する必要がある場合、シーブ２３側の端部が拡径されて作業者の持ち手の位置がシーブ２３近傍にならない構成である、本発明の吊り上げ装置２０の巻き込み防止カバー３１を利用することにより、ロープＲとシーブ２３との間に作業者の手や指等が巻き込まれることなく、安全に作業を行うことができる。
【００２７】
さらに、巻き込み防止カバー３１は、絶縁材料製であるため、電線工事等における活線工事中に、誤ってロープＲあるいは該巻き込み防止カバー３１を電線に接触させてしまっても、感電のおそれがないため、作業の安全を図ることができる。
【００２８】
なお、本発明は上記の実施形態に限定されるものではなく、適宜改良可能である。
【００２９】
【発明の効果】
以上説明したように、本発明は、先端にシーブを有するサブブームと、ロープの繰り出し・巻き取りを行うウインチとを備え、ウインチから繰り出されシーブを介して垂下されたロープの先端にフックが取り付けられている吊り上げ装置において、両端が開口した筒体の形状を有し、ロープが前記筒体を貫通してロープに沿って摺動可能に取り付けられるとともに、絶縁材料製であり、作業者が手で把持してロープの位置を調整するための巻き込み防止カバーと、シーブからフックまでの任意の位置に、前記巻き込み防止カバーを位置決めする位置決め手段とを備えて構成されている。
【００３０】
このような構成により、ロープの巻き取り時に、ロープとシーブとの間に作業者の手や指等が巻き込まれることを防止することができ、作業の安全性をより向上させることができる。
【図面の簡単な説明】
【図１】本発明に係る吊り上げ装置を搭載した高所作業車の斜視図である。
【図２】本発明に係る吊り上げ装置の構成を示す正面図である。
【図３】本発明に係る吊り上げ装置の使用例を示す図である。
【図４】本発明に係る吊り上げ装置の巻き込み防止カバーを着脱自在に構成した一例を示す図である。
【符号の説明】
１    高所作業車
３    車体
５    アウトリガジャッキ
７    旋回台
９    ブーム
１３  垂直ポスト
１５  作業台
２０  吊り上げ装置
２１  支持ブラケット
２３  シーブ
２５  サブブーム
２７  ウインチ装置（ウインチ）
２９  フック
３１  巻き込み防止カバー
３３  保持ワイヤ  （位置決め手段）
【図１】
2004352449.tif 000003
【図２】
2004352449.tif 000004
【図３】
2004352449.tif 000005
【図４】
2004352449.tif 000006